(57)【要約】【課題】財布本体内にカード類を左右で並列状に配置収納するとき、その一部を重ね合わせて一覧的に収納でき、しかも財布自体をコンパクトに小型化できるようにする。【解決手段】財布本体１に設けるカード入れ１０であって、このカード入れ１０は、収納するカード類Ｃの幅員、高さに対応した幅員と深さとを備えたカードポケット１１を財布本体１の幅員方向に沿って左右に並列配置すると共に、並列方向に沿っているカードポケット１１相互間に財布本体１の前後の厚さ方向で重ねた重ね合わせ部１３を設ける。重ね合わせ部１３を含めた並列されているカードポケット１１の合計幅員は、財布本体１に折り畳まずに収納すね紙幣Ｐの幅員に比し大きくすることなく構成する。また、財布本体１の厚さ方向に沿ってカードポケット１１を複数段で配列し、後方のカードポケット１１は前方のカードポケット１１に比し順次に高くなるようにする。【選択図】図２
2020069274.tif 000002
【特許請求の範囲】
【請求項１】
財布本体に設けられているカード入れであって、このカード入れは、収納するカード類の幅員、高さに対応した幅員と深さとを備えたカードポケットが財布本体の幅員方向に沿って左右に並列されていると共に、並列方向に沿っているカードポケット相互間に財布本体の前後の厚さ方向で重ねられている重ね合わせ部が設けられていることを特徴とする財布におけるカード入れ構造。
【請求項２】
重ね合わせ部を含めた並列されているカードポケットの合計幅員は、財布本体に折り畳まずに収納される紙幣の幅員に比し大きくすることなく形成してある請求項１に記載の財布におけるカード入れ構造。
【請求項３】
カードポケットは、財布本体の内部にポケット形成壁片を配し、このポケット形成壁片を財布本体の幅員方向に沿って左右で並列されるカード類それぞれの幅員に対応した幅員の端縁位置で折り返すことで左右に形成されていて、財布本体の幅員方向に沿うほぼ中央位置部分が左右のカードポケットの一部それぞれによって重ね合わせられた重ね合わせ部となっている請求項１または２に記載の財布におけるカード入れ構造。
【請求項４】
重ね合わせ部は、カードポケットを形成する横長状のポケット形成壁片のほぼ中央部分に、財布本体の幅員方向に沿って並列され、かつ財布本体の厚さ方向の前後で配列されるカード類の幅員端縁位置で、互いに逆方向で二重に折り返されることで設けられ、上縁部分は閉塞され、左右側部は固着されている請求項１乃至３のいずれかに記載の財布におけるカード入れ構造。
【請求項５】
ポケット形成壁片におけるカードポケットの幅員に相当する前面部分には、ポケット区画形成片を配装して財布本体の前後方向に配列される更に別のカードポケットを形成してある請求項３または４に記載の財布におけるカード入れ構造。
【請求項６】
カード入れは、カード類の高さに比しやや低くなる所定幅員の帯状片を二つ折り状にし、底縁を閉塞すると共に端縁部分を財布本体における幅員方向の端縁部に固着することで財布本体の幅員方向に沿って並列形成されたカードポケットから成り、並列されたカードポケットは、財布本体の幅員方向のほぼ中央位置において、所定幅員で重ねられることで、重ね合わせ部が設けられている請求項１または２に記載の財布におけるカード入れ構造。
【請求項７】
カード入れは、財布本体の厚さ方向に沿ってカードポケットを複数段で配列し、後方のカードポケットは前方のカードポケットに比し順次に高くなるようにしてある請求項１乃至６のいずれかに記載の財布におけるカード入れ構造。
【発明の詳細な説明】
【技術分野】
【０００１】
本発明は、各種カード類を収納できるカード入れを備え、また紙幣等を折り畳むことなく収納できるようにした例えば長財布において、カード類をその一部を重ね合わせて一覧的に収納することで、財布自体をコンパクトに小型化できるようにした財布におけるカード入れ構造に関する。
【背景技術】
【０００２】
従来から、紙幣、硬貨等を収納携帯するための財布には、紙幣を収納する紙幣入れ部分、硬貨等を収納する小銭入れ部分のいずれかが設けられていて、また支払いその他の便を図るためにクレジットカード・キャッシュカード・ポイントカード等のカード類を予め収納できるようにしたカード入れも設けられていることが多い。
【０００３】
カード入れ自体は、カードを収納できる幅員、深さ、内法幅を備えたポケット構造とし、開口部分を経て出し入れできるようにしてあり、いわゆる長財布タイプにあってはカードポケットを左右で並列させると共に前後で段差状に配置して構成している。またいわゆる二つ折りタイプにあっては段差状に配置した複数のポケットを、財布自体に設けられた中央の折り部分の左右に配している。
【０００４】
更には多数のカードを収納できるように、特許文献１に示されるカードホルダーは、カードを収納する収納区画部を複数列で財布自体内に重ね合わせて一覧的に配列すると共に、配列方向の側部位置に形成した開口部分によってカードを出し入れ可能にして成る。特許文献２に示される財布型収納具は、前後に重ね合わせて配置した区画壁片を平面から見て菱形あるいは三角形をなす開口部分となるように縫製して、いわゆるハニカム的配置構造として多数のポケットを配置して成る。
【先行技術文献】
【特許文献】
【０００５】
【特許文献１】実用新案登録第３１５２４５４号公報
【特許文献２】実用新案登録第３２０５１２４号公報
【発明の概要】
【発明が解決しようとする課題】
【０００６】
これらの特許文献１及び２におけるカード入れ構造は、特許文献１のように収納区画部を多数配置するとカード入れあるいは財布自体の幅員が大きくなってしまう難点があり、逆に全体外形を小型化するように形成すると収納区画部を少なくせざるを得ない。特許文献２のようないわゆるハニカム的配置構成では、菱形開口部分のポケットが左右に並列配置されているから、財布の外形は左右方向で配列収納されるカード数の合計幅員に比し小さくはできず、財布全体の外形幅員を小型化するのは困難である。すなわちカードの収納能力を増大した財布であると大型化してしまい、大型化した財布に例えば紙幣を収納するようにしても、紙幣収納部には無駄となる余計な空間が生じることになる。
【０００７】
また、近時は決済手段としてカードを使用するカードシステム、購買時に利用できるポイントをカードに加算記録するポイントシステムの普及によって、個人として各種の多数のカードを所有し、また携帯しているのが一般的である。その一方では、紙幣、硬貨等を収納する財布自体も携帯しているから、多数のカードを収納でき、しかも紙幣も無理なく収納できるように携帯するにも好適なコンパクト化した財布が望まれている。
【０００８】
そこで本発明は叙上のような従来存した諸事情に鑑み創出されたもので、紙幣更には硬貨をも収納できる財布に多数のカードも合わせて収納でき、しかも紙幣は伸ばしたままで一覧的に収納できると共に、紙幣の外形とほぼ同様な大きさの外形としてコンパクト化を実現できる財布におけるカード入れ構造を提供することにある。
【課題を解決するための手段】
【０００９】
上述した課題を解決するため、本発明にあっては、財布本体１に設けられているカード入れ１０であって、このカード入れ１０は、収納するカード類Ｃの幅員、高さに対応した幅員と深さとを備えたカードポケット１１が財布本体１の幅員方向に沿って左右に並列されていると共に、並列方向に沿っているカードポケット１１相互間に財布本体１の前後の厚さ方向で重ねられている重ね合わせ部１３が設けられていることを特徴とする。
重ね合わせ部１３を含めた並列されているカードポケット１１の合計幅員は、財布本体１に折り畳まずに収納される紙幣Ｐの幅員に比し大きくすることなく構成することができる。
カードポケット１１は、財布本体１の内部にポケット形成壁片１２を配し、このポケット形成壁片１２を財布本体１の幅員方向に沿って左右で並列されるカード類Ｃそれぞれの幅員に対応した幅員の端縁位置で折り返すことで左右に形成されていて、財布本体１の幅員方向に沿うほぼ中央位置部分が左右のカードポケット１１の一部それぞれによって重ね合わせられた重ね合わせ部１３となっていることで構成することができる。
重ね合わせ部１３は、カードポケット１１を形成する横長状のポケット形成壁片１２のほぼ中央部分に、財布本体１の幅員方向に沿って並列され、かつ財布本体１の厚さ方向の前後で配列されるカード類Ｃの幅員端縁位置で、互いに逆方向で二重に折り返されることで設けられ、上縁部分は閉塞され、左右側部は固着されて構成することができる。
ポケット形成壁片１２におけるカードポケット１１の幅員に相当する前面部分には、ポケット区画形成片１４を配装して財布本体１の前後方向に配列される更に別のカードポケット１１を形成して構成することができる。
また、カード入れ１０は、カード類Ｃの高さに比しやや低くなる所定幅員の帯状片を二つ折り状にし、底縁を閉塞すると共に端縁部分を財布本体１における幅員方向の端縁部に固着することで財布本体１の幅員方向に沿って並列形成されたカードポケット１１から成り、並列されたカードポケット１１は、財布本体１の幅員方向のほぼ中央位置において、所定幅員で重ねられることで、重ね合わせ部１３が設けられて構成することができる。
カード入れ１０は、財布本体１の厚さ方向に沿ってカードポケット１１を複数段で配列し、後方のカードポケット１１は前方のカードポケット１１に比し順次に高くなるようにして構成することができる。
【００１０】
以上のように構成された本発明に係る財布におけるカード入れ構造にあって、財布本体１に配置されたカードポケット１１は、財布本体１に収納された紙幣Ｐ等の貨幣と共に各種のカード類Ｃを収納させ、重ね合わせ部１３は並列状態で収納したカード類Ｃそれぞれの端部を重ねさせ、並列収納時の合計幅員全体を縮小させる。
カード類Ｃの並列収納状態の縮小された全体幅員で財布本体１の幅員を構成可能にさせることで、財布本体１に折り畳まずに収納する紙幣Ｐの幅員にほぼ対応した幅員として財布本体１の構成を可能にさせ、コンパクトな財布を実現させる。
カード類Ｃの幅員端縁位置で、互いに逆方向で二重に折り返されることで設けられた閉塞構造の重ね合わせ部１３は、並列されたカードポケット１１それぞれの固定配置を確実、強固にし、カード類Ｃの出し入れを円滑にさせる。
折り返されてカードポケット１１を形成しているポケット形成壁片１２の前面に配装したポケット区画形成片１４は、財布本体１の前後方向に沿って更に別のカードポケット１１を形成し、いわば多段的配置構成のカードポケット１１群を構成させる。
二つ折り状にして形成されたカードポケット１１を並列配置するときの所定幅員で重ねられた重ね合わせ部１３は、カードポケット１１それぞれをいわば独立態様で配置させ、簡素な構造で増減を容易にさせる。
後方のカードポケット１１が順次に高くなる複数段の配列は、後方位置で配置収納されるカード類Ｃをも一覧的に表示させ、使用時、収納時の選択・確認をさせながらの出し入れを容易にさせる。
【発明の効果】
【００１１】
本発明は以上説明したように構成されているため、財布本体１内にカード類Ｃを収納保管するとき、並列収納状態のカード類Ｃが重ね合わせ部１３で部分的に重ね合わせられていることで、並列されたカード類Ｃの全体幅員が縮小され、財布本体１の幅員方向の長さも縮小でき、例えば折り畳まずに収納する紙幣Ｐの幅員にほぼ対応したものとしてコンパクトに構成できる。
【００１２】
すなわちこれは本発明において、カード入れ１０は、カード類Ｃを収納するカードポケット１１が財布本体１の幅員方向に沿って左右に並列されていると共に、並列方向に沿っているカードポケット１１相互間に財布本体１の前後の厚さ方向で重ねられている重ね合わせ部１３が設けられているからである。これによって、財布本体１の幅員方向に沿う長さの縮小・コンパクト化、コンパクト化による携帯・取扱い容易性等を可能にする。
【００１３】
また、重ね合わせ部１３で並列されたカードポケット１１の合計幅員を、折り畳まずに収納される紙幣Ｐの幅員に比し大きくしないことで、財布本体１の全体幅員も紙幣Ｐの大きさに比し若干程度で大きくすることで済み、コンパクト化を実現できる。
【００１４】
カードポケット１１は、左右で並列収納されるカード類Ｃの端縁位置でポケット形成壁片１２を折り返すことで左右に形成されていて、財布本体１の幅員方向に沿うほぼ中央位置部分がカードポケット１１の一部によって重ね合わせられた重ね合わせ部１３となっていることで、重ね合わせ部１３の前後方位置でカードポケット１１を配置構成できる。
【００１５】
そして、重ね合わせ部１３は、財布本体１の幅員方向で並列され、かつ財布本体１の厚さ方向で配列されるカード類Ｃの幅員端縁位置で、互いに逆方向で二重に折り返されることで設けられていて、上縁部分は閉塞され、左右側部は固着されていることで、左右・前後で配置されるカードポケット１１を固定的に確実に位置決めすることができる。
【００１６】
ポケット形成壁片１２の前面部分にポケット区画形成片１４を配装することで、ポケット形成壁片１２が形成するカードポケット１１とは別のカードポケット１１を形成でき、しかもこのポケット区画形成片１４を複数で配することで、財布本体１の前後方向に沿って複数のカードポケット１１群として配列構成でき、いわば多段的な構成によって多くのカード類Ｃを収納可能な構成とする利点も得られる。
【００１７】
また、カード入れ１０は、二つ折り状にした帯状片の底縁の閉塞、端縁部分の財布本体１の端縁部への固着によって並列形成されたカードポケット１１から成り、財布本体１のほぼ中央位置において、所定幅員で重ねた重ね合わせ部１３を設けることで、カードポケット１１それぞれをいわば独立態様で配置させて構成できる。しかも、帯状片の二つ折り構造によることで簡素な構造として形成でき、しかもそれぞれが独立していることで例えば財布本体１の厚さ方向によってのカードポケット１１数を容易に増減することもできる。
【００１８】
カード入れ１０は、財布本体１の厚さ方向に沿ってカードポケット１１を複数段で配列し、後方のカードポケット１１は前方のカードポケット１１に比し順次に高くなるようにすることで、財布本体１の開放時では後方位置に収納したカード類Ｃであってもその上部を一覧的に見ることができ、カード類Ｃの選択、更には収納に便利である。
【００１９】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００２０】
【図１】本発明の実施の形態を示す斜視図である。
【図２】同じく第１の実施の形態における開放状態の一部切欠斜視図である。
【図３】同じく開放状態における要部平面図である。
【図４】同じくカード入れにおける要部分解斜視図である。
【図５】第２の実施の形態における開放状態の斜視図である。
【図６】同じく開放状体における要部平面図である。
【発明を実施するための形態】
【００２１】
以下、図面を参照して本発明を実施するための一形態を説明すると、図において示される符号１は財布本体であり、この財布本体１は図示のように、例えば紙幣Ｐを折り畳むことなく伸ばした状態で収納可能にするよう、紙幣Ｐの幅員にほぼ対応した幅員を有する広幅状の紙幣収納部２を財布本体１の内部における中央に位置させて配装形成した、いわゆる長財布態様として構成されている。また、図示にあっての財布本体１自体は、上部及び一方の側部が開閉されるよう二つ折りされ、折り畳んだときに合わせられる上部、側部の開口部分は、スライドファスナー３の操作によって開放され、あるいは閉鎖されるようにしてある。
【００２２】
なお、本明細書において「幅員方向」は、図示のように長財布態様の財布本体１において横長に配置したときの広幅である方向に沿った左右方向を意味し、「深さ方向」は財布本体１において紙幣Ｐその他を出し入れするよう開口部を上方にしたとき、幅員方向に直交する高さ方向を意味し、「厚さ方向」は財布本体１において前後に沿った財布本体１自体の肉厚である奥行き方向を意味する。
【００２３】
この財布本体１の内部には、カード入れ１０が設けられており、このカード入れ１０は、各種のカード類Ｃを収納できるようカード類Ｃの幅員、高さに対応した幅員と深さとを備えたカードポケット１１が財布本体１の幅員方向に沿って並列されていると共に、並列方向に沿っているカードポケット１１相互間に財布本体１の前後の厚さ方向で重ねられている重ね合わせ部１３が設けられている。そして、この重ね合わせ部１３を含めた並列されているカードポケット１１の合計幅員は財布本体１の前記の紙幣収納部２に収納される紙幣Ｐが折り畳まれずに収納されるように、紙幣Ｐの幅員に比し大きくすることなく形成されている。
【００２４】
すなわち、財布本体１の内部にカードポケット１１を形成するポケット形成壁片１２を配し、このポケット形成壁片１２を財布本体１の幅員方向に沿って左右で並列されるカード類Ｃそれぞれの幅員に対応した幅員の端縁位置で折り返すことでカードポケット１１を左右に形成し、財布本体１の幅員方向に沿うほぼ中央位置部分が左右のカードポケット１１の一部それぞれによって重ね合わせられた重ね合わせ部１３となっている。なお、カードポケット１１における幅員の基点ａは、カードポケット１１が財布本体１における左右で対にして配置されるものとされるとき、財布本体１の幅員方向の端縁部ｂ近傍に設定されており、図３に示すように財布本体１の内部における端縁部ｂにカードポケット１１の端縁である基点ａが例えば縫着、接着されること等で固着されている。
【００２５】
図１乃至図４に示される第１の実施の形態におけるカード入れ１０は、財布本体１おける例えば前後壁の内側面に配してある背壁片４の前面に、カードポケット１１を形成する横長状のポケット形成壁片１２を配し、このポケット形成壁片１２のほぼ中央部分に、財布本体１の幅員方向に沿って並列され、かつ財布本体１の厚さ方向の前後で配列されるカード類Ｃの幅員端縁位置で、互いに逆方向で二重に折り返されることで重ね合わせ部１３を設けてある。この重ね合わせ部１３における上縁部分は閉塞されており、左右側部は例えば縫着等によって固着されていて、重ね合わせ部１３の前後面における並列されたカードポケット１１それぞれにカード類Ｃが収納されるようにしてあり、収納状態を正面から見るとカード類Ｃはそれぞれの反対がわの左右側部のみが重なり状になっている。
【００２６】
このカードポケット１１の底縁は、カードポケット１１に収納したカード類Ｃの上部縁部分が外出される程度の深さに設定された位置で、前記背壁片４にあるいは財布本体１の底部に縫着等で固着されていることで閉塞されている。また、ポケット形成壁片１２によって区画された後方のカードポケット１１における重ね合わせ部１３の端縁ｃは背壁片４に縫着等で固定されている。
【００２７】
この背壁片４の左右側縁は、例えば財布本体１における幅員方向の端縁部ｂに例えば縫着させることで財布本体１内に配置固定され、財布本体１の幅員方向に沿って左右に並列された一方のカードポケット１１は、財布本体１における左右の端縁部ｂのいずれか一方と、重ね合わせ部１３における左右側部のいずれか一方との間の空隙部分として得られ、他方のカードポケット１１は同じく財布本体１における左右の端縁部ｂのいずれか他方と、重ね合わせ部１３における左右側部のいずれか他方との間の空隙部分として得られる。
【００２８】
図例にあってのカードポケット１１は、財布本体１の厚さ方向に沿って複数段にして配列されている。具体的には、図３、図４に示すように、カードポケット１１を形成する横長状の１枚のポケット形成壁片１２の中央部分に二重に折り返して左右にカードポケット１１を形成し、ポケット形成壁片１２におけるカードポケット１１の幅員に相当する前面部分には、ポケット区画形成片１４を配装して財布本体１の前後方向に配列される更に別のカードポケット１１を形成して構成する。なお、図例のように、ポケット区画形成片１４自体はポケット形成壁片１２に比し高さをやや低くすると共に、後方に配されるポケット形成壁片１２によって形成された後方に配列のカードポケット１１の底縁位置をやや高い位置に設定することで、正面から見てカード類Ｃの上縁部分が一覧的に表示されるようにする。
【００２９】
図示を省略したが、カードポケット１１を形成する横長状のポケット形成壁片１２を財布本体の厚さ方向で例えば２枚で重ね合わせ、重ね合わせた状態の儘で、その中央部分に前記の重ね合わせ部１３を折り込み形成し、財布本体１の厚さ方向に沿う後方のカードポケット１１の上縁、底縁を前方のカードポケット１１に比し段差状に順次に高くなるよう形成して成る。そして、後方のカードポケット１１に収納されたカード類Ｃは、前方のカードポケット１１に収納されたカード類Ｃに比し高い位置に保持されていて、正面から見てカード類Ｃの上縁部分が一覧的に臨出、表示されるようにすることも可能である。
【００３０】
なお、財布本体１の前後方向にカードポケット１１が配列される場合には、後方のカードポケット１１の底縁位置は、前方のカードポケット１１の底縁位置に比し高い位置に設定形成されるように前後に配されているポケット形成壁片１２、ポケット区画形成片１４等に適宜に底縁部分が縫着等で固着されることで閉塞されており、収納したカード類Ｃが必要とされる高さ位置が維持されるようにしてある。
【００３１】
財布本体１の厚さ方向に沿って複数段で配列されるカードポケット１１は、任意段数に設定構成することが可能であるも、段数の増加は財布本体１を高さ方向で増大させることにもなる。このような多段数の増加は財布本体１のコンパクト化を図る上では好ましくはないから、図示例のように２段あるいは図示を省略したが３段構成程度とするのが好適である。
【００３２】
図５乃至図６にあっては、第２の実施の形態が示されている。この第２の実施の形態では、財布本体１の幅員方向に沿って左右に並列されるカードポケット１１がそれぞれ独立した態様で構成されたもので、カード類Ｃの高さに比しやや低くなる所定幅員の帯状のポケット形成壁片１２を二つ折り状にして底縁を閉塞すると共に、このポケット形成壁片１２の端縁部分であるカードポケット１１の基点ａを財布本体１における幅員方向の端縁部ｂに例えば縫着等で固着することで財布本体１の幅員方向に沿って並列形成されたカードポケット１１から成る。そして、並列されたカードポケット１１は、財布本体１の幅員方向のほぼ中央位置において、所定幅員で重ねられることで、重ね合わせ部１３が設けられている。この第２の実施の形態における重ね合わせ部１３は、必要があれば前後のカードポケット１１相互間で縫着等によって固定することも可能である。
【００３３】
この独立した態様のカードポケット１１構造にあっても、財布本体１の厚さ方向に沿ってカードポケット１１を複数段に配列可能であり、カード類Ｃの幅員、高さに対応した内容積のカードポケット１１を、その底縁位置を後方に至るに従い順次に高い位置に設定して配列する。
【００３４】
以上の第１、第２の実施の形態のいずれにあっても、前述したように財布本体１の厚さ方向に沿って開閉される長財布態様の財布本体１では、開放された前壁、後壁の内側面それぞれにカードポケット１１が配列可能であり、また財布本体１の幅員方向の左右に並列されたカードポケット１１は左右のいずれが前方にあっても差し支えない。
【００３５】
なお、図中符号９は、財布本体１の内部に設けられている前記紙幣収納部２に設けた収納ポケットであり、上部が開放された袋状に形成されていて、例えば小銭類、紙片等を収納できるようにしてある。
【００３６】
次に以上に説明した実施の形態における使用の一例を説明すると、財布本体１はスライドファスナー３による開閉操作で開閉され、開放時においてカードポケット１１に所定のカード類Ｃを収納すれば良い。カードポケット１１では、財布本体１の幅員方向に並列されていて、その並列されているカードポケット１１相互間では重ね合わせ部１３があるから、収納されたカード類Ｃは財布本体１の厚さ方向で部分的に重ね合わせられることで、財布本体１の幅員方向の長さを例えば紙幣Ｐの幅員に対応したものとできる。
【００３７】
なお、図示例の財布本体１にあっては、財布本体１の外側面に小銭入れ２０が設けられていて、この小銭入れ２０は、財布本体１における外側壁部に、上部及び側部が開閉されるＬ字状で、スライドファスナー２２によって開放、閉塞される開口部２１を形成し、開閉される側部の開放部分に、小銭入れ２０自体の外方への折り返しを可能にしたほぼ三角形状のガイドマチ片２３を折り込み形成して成る（図５参照）。またガイドマチ片２３は、財布本体１の内方側、外方側のマチ部片が折り込みあるいは折り返されるとき、財布本体１の外方側が内方側に比し低くなるように設けられている。
【００３８】
このように構成された小銭入れ２０によると、小銭入れ２０をスライドファスナー２２によって開放すると共にガイドマチ片２３を外方に折り返すことで、小銭入れ２０に収納してある硬貨等をガイドマチ片２３の内側面に沿って取り出せば良く、小銭入れ２０の奥部に硬貨等が留まることなく、簡単に取り出すことができる。
【符号の説明】
【００３９】
Ｃ…カード類
Ｐ…紙幣
ａ…カードポケットの基点
ｂ…財布本体の端縁部
ｃ…重ね合わせ部の端縁
１…財布本体
２…紙幣収納部
３…スライドファスナー
４…背壁片
９…収納ポケット
１０…カード入れ
１１…カードポケット
１２…ポケット形成壁片
１３…重ね合わせ部
１４…ポケット区画形成片
２０…小銭入れ
２１…開口部
２２…スライドファスナー
２３…ガイドマチ片
【図１】
2020069274.tif 000003
【図２】
2020069274.tif 000004
【図３】
2020069274.tif 000005
【図４】
2020069274.tif 000006
【図５】
2020069274.tif 000007
【図６】
2020069274.tif 000008